(57)【要約】【課題】   本発明は、発光キーボードに設置される光源モジュールと、前記発光キーボードに設置され且つ前記光源モジュールに電気的に接続される輝度制御モジュールを含み、従来の発光キーボードの光色が単一で自由に交換できないという欠点を改善することができる、発光キーボードの光色調整構造に関する。【解決手段】前記光源モジュールは少なくとも二つの光色が異なる第一光源及び第二光源を含み、第一光源と第二光源によって前記発光キーボードの光色を混色で作り出す。前記輝度制御モジュールは、輝度制御信号を前記光源モジュールに対して出力することにより前記光源モジュールの輝度を制御するのに用いられる。こうすることで、第一光源及び第二光源の輝度の変化によって各種の色の光色を混色で作り出すことができる。【選択図】  図１
2010271971.tif 000002
【特許請求の範囲】
【請求項１】
発光キーボードの発光調整構造であって、光源モジュールと輝度制御モジュールを含み、
前記光源モジュールが前記発光キーボードに設置され、且つ少なくとも二つの光色が異なる第一光源及び第二光源を有し、前記第一光源と前記第二光源によって前記発光キーボードの光色を混色で作り出し、
前記輝度制御モジュールが、前記発光キーボードに設置された輝度制御部、及び前記輝度制御部にトリガされて輝度制御信号を前記光源モジュールに対し出力する制御ユニットを含み、前記輝度制御信号によって前記光源モジュールの輝度の変化を制御することにより前記発光キーボードの光色を調整することを特徴とする発光キーボードの発光調整構造。
【請求項２】
請求項１に記載の発光キーボードの発光調整構造であって、前記各光源の輝度の変化が漸増であることを特徴とする、発光キーボードの発光調整構造。
【請求項３】
請求項１に記載の発光キーボードの発光調整構造であって、前記光源の輝度の変化が漸減であることを特徴とする、発光キーボードの発光調整構造。
【発明の詳細な説明】
【技術分野】
【０００１】
本発明は発光キーボードの光色調整構造に関し、特に、少なくとも２つの色が異なる光源によって発光キーボードの光色を混色で作り出す光色調整構造に関する。
【背景技術】
【０００２】
デスクトップ型パソコン、ノート型パソコンを問わず、低い輝度又は暗い環境下でキーボードをはっきり見えるようにしてキーボードを打ちやすくする能力を提供するために、既に多くの種類の発光キーボードに関する特許が発表されている。例えば、米国特許第６２８４９８８号、第６３２２２２９号、第６１９９９９６号、第６５５４４４２号、第６１７９４３２号、台湾特許第５０９９５５号、第４６５７７７号、第５３５３８５号、第４３８０３５号、第５７０２３５号、第４６８８３３号、第５１６６７１号に、使用者にキーボードの打つ位置を明確に判断させることができる、内蔵式発光チップを利用して光を外に射出させる技術が開示されている。上述の各特許案は、上述の各特許案に係る発光キーボードの光色は固定されていて変更できず、使用者が発光キーボードを適した光色及び輝度に調整することができないため、光色が明るすぎたり輝度が高すぎたりして目に不快感を与えるという現象が生じたり、光色が暗すぎたり輝度が不足したりして入力ミスの問題が生じたりする可能性がある、という点が共通している。
【０００３】
上記問題点に鑑み、現在、発光キーボードは、発光色を調整できる技術が既に開発されており、発光色を調整する方法は主に２種類ある。一つは、台湾特許第２００６３６６７２号に開示されているように、コンピューターのソフトウェアを利用して光色を調整する方法である。前記特許案は、キーボード及びキーボードのキーの色を選択する方法を開示しており、そのキーボードは、赤色、緑色、青色の発光ダイオードをキーボードのバックライトモジュールとして使用しており、調色する時には主に調色ソフトウェアを利用してコンピューターのモニター上に各種の色を表示し、それから使用者が直接必要な色をクリックで選択することで、発光ダイオードは選定した色を発し調色の動作が完成する。その他、中国特許第ＣＮ１７６３８７９号に開示されているキーボードバックライト装置及びその方法も、赤色、緑色、青色の発光ダイオードをキーボードのバックライトモジュールとしているが、調色の時は調色ソフトウェアを利用してコンピューターのモニター上にそれぞれの色の比率を表示し、続いて使用者の好みに応じてそれぞれの色の比率を調整し欲しい色を混色で作り出す。しかし、上述の調整方法は調色ソフトウェアに頼らないと行うことができない。
【０００４】
また、もう一つの方式は、キーボード上のキーを通じて直接発光キーボードの光色を調整する技術である。台湾特許第Ｍ３１０３８８号には、発光輝度を調整することができるキーボードが開示されているが、そのキーボードにはいくつかの灯色切り替えスイッチが設置されており、それぞれの灯色切り替えスイッチは、それぞれ異なる灯色に対応していて、各灯色切り替えスイッチを押すことで、発光キーボードの灯色を切り替える効果を達成することができる。しかし、Ｍ３１０３８８特許案の各灯色切り替えスイッチが対応する灯色は固定されており、使用者はこれらの固定された灯色の中から選択することしかできず、自らの必要に応じて発光キーボードの発光の色及びその輝度を調整することはできない。
【先行技術文献】
【特許文献】
【０００５】
【特許文献１】米国特許第６２８４９８８号
【特許文献２】米国特許第６３２２２２９号
【特許文献３】米国特許第６１９９９９６号
【特許文献４】米国特許第６５５４４４２号
【特許文献５】米国特許第６１７９４３２号
【特許文献６】台湾特許第５０９９５５号
【特許文献７】台湾特許第４６５７７７号
【特許文献８】台湾特許第５３５３８５号
【特許文献９】台湾特許第４３８０３５号
【特許文献１０】台湾特許第５７０２３５号
【特許文献１１】台湾特許第４６８８３３号
【特許文献１２】台湾特許第５１６６７１号
【特許文献１３】台湾特許第２００６３６６７２号
【特許文献１４】中国特許第ＣＮ１７６３８７９号
【特許文献１５】台湾特許第Ｍ３１０３８８号
【発明の概要】
【発明が解決しようとする課題】
【０００６】
本発明の主な目的は、上述の欠点を解決し、使用者がキーボード上で直接操作して適切な輝度に調整し、かつ必要な光色を混色で作り出すことができる、発光キーボードの光色調整構造を提供することにある。
【課題を解決するための手段】
【０００７】
上述の目的を達成するために、本発明が提示する発光キーボードの光色調整構造は、発光キーボードに設置される光源モジュール、及び発光キーボードに設置され、且つ前記光源モジュールに電気的に接続される輝度制御モジュールを含む。その内、前記光源モジュールは、少なくとも２つの光色が異なる第一光源及び第二光源を含み、第一光源と第二光源によって前記発光キーボードの光色を混色で作り出す。又、前記輝度制御モジュールは、前記発光キーボードに設置された輝度制御部、及び輝度制御部にトリガされて輝度制御信号を出力する制御ユニットを含み、前記輝度制御信号が前記光源モジュールに対して出力されることにより前記光源モジュールの輝度を制御する。こうすることで、第一光源及び第二光源の輝度の変化によって各種類の色の光色を混色で作り出すことができる。
【発明の効果】
【０００８】
以上から分かるように、従来の技術と比較して本発明が得られる有益な効果は、使用者が必要な光色を混色で作り出しやすくすることにある。
【図面の簡単な説明】
【０００９】
【図１】本発明のブロック図である。
【図２】本発明の分解図である。
【図３】本発明の実施例１の断面図である。
【図４】本発明の実施例２の断面図である。
【図５】本発明の実施例３の概略図である。
【図６】本発明の実施例４の概略図である。
【図７】本発明の実施例５の概略図である。
【図８】本発明の実施例６の概略図である。
【発明を実施するための形態】
【００１０】
（実施例１）
本発明の詳細な説明及び技術内容に関して、図を併せて以下に説明する。図１に示すように、本発明に係る発光キーボードの光色調整構造は、前記発光キーボード１０内に設置した光源モジュール１２、及び前記発光キーボード１０に設置し、且つ前記光源モジュール１２に電気的に接続された輝度制御モジュール１３を含む。その内、前記光源モジュール１２は、少なくとも２つの光色が異なる第一光源１２２と第二光源１２３を含み、前記第一光源１２２及び前記第二光源１２３によって前記発光キーボード１０の光色を混色で作り出す。また、前記輝度制御モジュール１３は、発光キーボード１０に設置した輝度制御部１３２及び制御ユニット１３１を含み、前記制御ユニット１３１は、輝度制御部１３２にトリガされ、輝度制御信号Ｓ１を生成して前記光源モジュール１２に対し出力することで、第一光源１２２又は第二光源１２３の輝度を制御し、第一光源１２２及び第二光源１２３の輝度の変化によって前記発光キーボード１０の光色を調整する。以上が、本発明を構成する主要構造である。
【００１１】
（実施例２〜５）
その他、図２に示すように、本発明の実施例２において、前記発光キーボード１０は、キー部１１と、前記キー部１１の下に設置した底板１４を更に含む。又、前記輝度制御モジュール１３は、キー部１１と底板１４の間に設置され且つ前記制御ユニット１３１を有する電気回路板１３０を更に含む。その内、前記制御ユニット１３１は前記電気回路板１３０上のマイクロプロセッサである。又、本発明の光源モジュール１２はキー部１１と底板１４の間に設置され、光源モジュール１２は、図中に示す導光板１２０及び導光板１２０の周りに設置するランプ１２１を含むことができるが、これに限定されない。その内、ランプ１２１は、少なくとも二つの異なる光色の第一光源１２２と第二光源１２３を含み、図３に示すように、第一光源１２２と第二光源１２３を同時に生じさせることができる単一の発光ダイオード１２１ａであるか、または、図４に示すように、第一光源１２２或いは第二光源１２３を単独で生じさせる複数の発光ダイオード１２１ｂである。本発明の光源モジュール１２は、導光板１２０をランプ１２１に組み合わせた実施に限定されない。さらに、図５に示すように、光源モジュール１２は、前記発光キーボード１０内に設置し且つ電気回路板１３０と底板１４の間に介在する導光空間１２４、及び前記導光空間１２４に設置したランプ１２１を含む。また、導光空間１２４の高さは、ランプ１２１との距離の増加に従って減少する。ランプ１２１は、図中に示すように、第一光源１２２と第二光源１２３を同時に生じさせる単一の発光ダイオード１２１ａであるか、又は第一光源１２２或いは第二光源１２３を単独で生じさせる複数の発光ダイオード１２１ｂでもよく、光源の光は導光空間１２４を経て電気回路板１３０を通過しキー部１１へ伝達される。
【００１２】
（実施例６）
本発明は、主に、輝度制御部１３２が制御ユニット１３１をトリガして輝度制御信号Ｓ１を生成させることによって、発光キーボード１０の光色を調整する。その内、図６に示すように、本発明の具体的な実施態様における前記輝度制御部１３２は、前記発光キーボード１０のキー部１１に設置したホットキー１１０とすることができ、ホットキー１１０を押して輝度制御信号Ｓ１を出力することにより、第一光源１２２と第二光源１２３の輝度をそれぞれ制御する。例えば、第一光源１２２は赤を表す光源（Ｒ）にし、第二光源１２３は緑を表す光源（Ｇ）にし、さらには、青を表す第三光源（Ｂ）を増設することもでき、前記光源モジュール１２の各光源１２２、１２３は、輝度の強弱に応じて異なるレベルを設定する。各ホットキー１１０を押して各光源１２２、１２３の輝度をそれぞれ調整するとき、各光源１２２、１２３の輝度変化は、漸増のパターンを呈することができ、各光源１２２、１２３の輝度が最も強いときに輝度制御信号Ｓ１を取得すると輝度が最も弱く変化する。または、各光源１２２、１２３の輝度変化は漸減のパターンでもよく、各光源１２２、１２３の輝度が最も弱い時に輝度制御信号Ｓ１を取得すると輝度が最も強く変化する。各光源１２２、１２３の輝度は、前記輝度制御信号Ｓ１を受信して、弱から強、又は強から弱へ循環しながら変化し、この方式を利用して赤緑青（ＲＧＢ）の各光源１２２、１２３の比率を制御することで、必要な光色を混色で作り出すことができる。
【００１３】
前記輝度制御部１３２は、単一のホットキー１１０で輝度の強弱循環の方式によって制御できるという以外に、図７に示すように、輝度制御部１３２は、各光源１２２、１２３に対応する輝度増加キー１１１及び輝度減少キー１１２を更に含むこともできる。従って、輝度増加キー１１１及び輝度減少キー１１２によって、各光源１２２、１２３の輝度が必要な増加又は減少を直接制御することができる。その他、図８に示すように、輝度制御部１３２は、ファンクションキー１１３を少なくとも一つのキーと組み合わせて構成した複合キーを更に含むことができる。例えば、ファンクションキー１１３をＦ１と組み合わせて第一光源１２２の輝度を制御したり、ファンクションキー１１３をＦ２と組み合わせて第二光源１２３の輝度を制御したりする。
【００１４】
上述したように、本発明は主に、発光キーボード１０の光源モジュール１２の中に、少なくとも二つの光色が異なる第一光源１２２及び第二光源１２３を設置し、第一光源１２２と第二光源１２３によって前記発光キーボードの光色を混色で作り出し、更に前記発光キーボード１０上の輝度制御モジュール１３を通じて輝度制御信号Ｓ１を前記光源モジュール１２の各光源１２２、１２３に対し出力することで各光源１２２、１２３の輝度を制御し、使用者が直接発光キーボード１０上で調整して発光キーボード１０の光色を混色で作り出すことができるようにさせる。
【００１５】
以上から分かるように、従来の技術と比較して本発明が得られる有益な効果は、使用者が必要な光色を混色で作り出しやすくすることにある。
【００１６】
上述は本発明の最良の実施例にすぎず、本発明の実施範囲を限定するために用いられるわけではない。本発明の特許請求範囲の内容によって行われた等価変更や修正は、全て本発明の技術範疇とする。
【符号の説明】
【００１７】
１０ 発光キーボード
１１ キー部
１２ 光源モジュール
１３ 輝度制御モジュール
１４ 底板
１１０ ホットキー
１１１ 輝度増加キー
１１２  輝度減少キー
１１３  ファンクションキー
１２０  導光板
１２１  ランプ
１２１ａ  単一の発光ダイオード
１２１ｂ  複数の発光ダイオード
１２２  第一光源
１２３  第二光源
１２４  導光空間
１３０   電気回路板
１３１   制御ユニット
１３２   輝度制御部
Ｓ１   輝度制御信号
【図１】
2010271971.tif 000003
【図２】
2010271971.tif 000004
【図３】
2010271971.tif 000005
【図４】
2010271971.tif 000006
【図５】
2010271971.tif 000007
【図６】
2010271971.tif 000008
【図７】
2010271971.tif 000009
【図８】
2010271971.tif 000010